(57)【要約】【課題】異形サッシの窓枠の接合部等に特別高い精度の処理をせず、また部品・部材の加工や組立に多くの手間をかけなくても、通常程度の加工でも接合部等から浸入した雨水等を効率的に排水することによって、十分な水密性能を得ることができる異形サッシの排水構造。【解決手段】水平な下枠６とその両端上方に設けられた上部枠５とを有する異形サッシの窓枠の排水構造であって、下枠６の両端の上方に上記上部枠５の下端面との接合部が形成されているとともに、窓枠の接合部等から窓枠１内に浸入した雨水を、下枠６で集水した後、屋外へ排水する。下枠６は窓枠を構成する下枠本体６Ａと該下枠本体６Ａの下方に設けられた下枠受材６Ｂとから構成してもよい。【選択図】図１０
2006144286.tif 000002
【特許請求の範囲】
【請求項１】
水平な下枠とその両端上方に設けられた上部枠とを有し、上部枠の端部を斜めに切断して接合した異形サッシの窓枠の排水構造であって、上記下枠の両端の上方に上記上部枠の下端面を接合させるとともに、下枠に排水孔を形成し、窓枠内に浸入した雨水を、前記下枠で集水した後、上記排水孔から屋外へ排水することを特徴とする異形サッシの排水構造。
【請求項２】
前記下枠は前記窓枠を構成する下枠本体と該下枠本体の下方に設けられた下枠本体受材とからなり、前記下枠本体受材の両端の上方に前記上部枠の下端面を接合させるとともに、前記下枠本体受材に前記排水孔を形成したことを特徴とする、請求項１に記載の異形サッシの排水構造。
【発明の詳細な説明】
【技術分野】
【０００１】
本発明は、建物の切妻面頂部等に設けられた、三角形状、五角形状などの特別な形状の異形サッシにおいて、窓枠の接合部等から浸入した雨水等を効率的に排水する異形サッシの排水構造に関する。
【背景技術】
【０００２】
一般に、サッシの窓枠の切断面は、軽量化やコストダウンなどの理由から「線」が複雑に入り組んだ形状となっている。
【０００３】
通常の矩形サッシの窓枠構成部材（縦枠と横枠）の接合部は直角をなし、切断面も直角であり、精度よく加工できる。そして、接合部において、縦枠のフラットな側面に対して横枠の複雑な「線」で構成された切断面を密着させているので、接合位置が多少ずれたとしても一方が面であるので隙間が生ずることはないし、そのずれが他の接合部の精度に影響を与えることもない。例えば、下枠が前後や上下に多少ずれて取り付けられても、窓枠構成部材の長さと直角の精度さえ保たれていれば、上枠は下枠のずれに影響を受けずに所定の位置に取り付けることができるからである。
【０００４】
これに対し、三角形や五角形をなす異形サッシにおける窓枠構成部材の接合部は、互いに突合せられる枠部材の両端を斜めに切断しなければならず、角度、長さともに切断加工に精度を出しにくい。また、窓枠構成部材同士の突合せ部分のわずかなずれによって隙間が生じるおそれがあるので、複雑な「線」と「線」とを精度よく突き合わせなければならない。さらに、１個所の接合部のずれが他の接合部の精度にも連鎖的に影響を与えてしまう。このような不都合に対処するため、接合部に弾性体からなるシール材を噛ませてボルト等で突合せられる窓枠構成部材同士を密着させて同部材の加工精度を補い、水密性能を確保する、という対策が考えられるが、斜めに切断した接合部においてはシール材に対し圧力を均等にかけることが容易でないため、シール材が有効に機能しないおそれがあり、接合部から雨水が浸入する可能性がある。
【０００５】
このように、異形サッシでは窓枠構成部材の接合部分は一般のサッシに比べると水密性能上不利となっていた。したがって、従来は窓枠の接合部等から雨水が浸入するのを防止して水密性能を確保するため、接合部分を正確に製作する必要があり、そのため、枠用の部材や部品の加工や組立に多くの手間がかかっていた。
【特許文献１】特許第３５２２８９９号公報
【特許文献２】特開平８−１９３３８０号公報
【発明の開示】
【発明が解決しようとする課題】
【０００６】
本発明は上記問題点を解消し、異形サッシの窓枠の接合部等に特別高い精度の処理をせず、また部品・部材の加工や組立に多くの手間をかけなくても、接合部等から浸入した雨水等を効率的に排水することによって、十分な水密性能を得ることができる異形サッシの排水構造を提供することをその課題とする。
【課題を解決するための手段】
【０００７】
前記課題を解決するため、請求項１に係る異形サッシの排水構造は、水平な下枠とその両端上方に設けられた上部枠とを有し、上部枠の端部を斜めに切断して接合した異形サッシの窓枠の排水構造であって、上記下枠の両端の上方に上記上部枠の下端面を接合させるとともに、下枠に排水孔を形成し、窓枠内に浸入した雨水を、前記下枠で集水した後、上記排水孔から屋外へ排水することを特徴とする。
【０００８】
請求項2に係る異形サッシの排水構造は、請求項１において、前記下枠は前記窓枠を構成する下枠本体と該下枠本体の下方に設けられた下枠本体受材とからなり、前記下枠本体受材の両端の上方に前記上部枠の下端面を接合させるとともに、前記下枠本体受材に前記排水孔を形成したことを特徴とする。
【発明の効果】
【０００９】
請求項１に係る発明によれば、窓枠構成部材の接合部等から窓枠内に雨水が浸入しても、下枠にすべて集水し排水孔から屋外に効率的に排水するので、雨水等が建物躯体の内側に浸入するのを有効に防止することができる。これにより、確実な止水効果が得られるので、窓枠の部品、部材に通常の加工を施した程度であっても十分な水密性能を確保することができる。
【００１０】
請求項２に係る発明によれば、上部枠と下枠本体との接合部等から浸入してきた雨水は下枠本体受材上に流れ落ちてくるので、下枠本体受材に集中的に集水、排水のための手段を講じて効率的に排水することができる。
【発明を実施するための最良の形態】
【００１１】
本発明の実施形態を図１の住宅の切妻部に設けられた断熱サッシＡについて説明する。上記サッシＡは壁の開口部に嵌め込まれた窓枠１と、この窓枠１の屋外側に略水平方向に突出して開閉するように配置された障子２とから構成されている。
【００１２】
障子２は、詳しくは図５に示されるように、金属製の框材、つまり左右に斜めに配置された上部框３と下框４とを框組みすることによってガラス８（単一のガラス板）を保持するように構成され、全体は三角形状に形成されている。
【００１３】
窓枠１は、図１〜図４に示されるように、屋外側の金属製の金属枠ａと屋内側の合成樹脂製の樹脂枠ｂとを結合した構成である。金属枠ａは傾斜した上部枠５と下枠６とから三角形状に枠組みされ、上部枠５の外側にはさらに金属製の化粧用外枠材７が取り付けられている。
【００１４】
上部枠５は中空部５ａと屋内側取付縁１３と屋外側取付縁９とを備え、屋内側取付縁１３は躯体構造材１０にビス止めされるものである。上部枠５の下面には段差が形成され、屋外側の段部には障子を受ける受け部１１が形成され、屋内側の段部には樹脂枠bの受け部１２が形成されている。
【００１５】
外枠材７は中空に形成され、中空部１４の内側（障子側）には取付部１５が形成され、該取付部１５には上部枠５の屋外側取付縁９が当接してビス止めされている。外枠材７も躯体構造材１０にビス止め固定されるように構成されている。
【００１６】
次に、下枠６は下枠本体６Ａと下枠本体６Ａの下方に設けられた下枠受材６Ｂとから構成されている。下枠本体６Ａの上面には段差が形成され、屋外側の段部には障子２を受ける受け部１１が形成され、屋内側の段部には樹脂枠ｂの受け部１２が形成されている。また、下枠本体６Ａの下方には係合縁１６と屈曲縁１８とが形成されている。
【００１７】
次に、下枠受材６Ｂの上部には下枠本体６Ａの下部に形成された係合縁１６に対応する係合縁１９と、下枠本体６Ａの屈曲縁１８を受ける上面部２０と、下枠本体６Ａの屋外側面を受ける起立縁２１とが形成されている。上面部２０の下方には中空部２２が形成され、中空部２２の下方には屋内側に取付縁２３が、屋外側にはＬ字形の係合縁２４が形成されている。
【００１８】
下枠本体６Ａと下枠受材６Ｂとは、下枠本体６Ａを下枠受材６Ｂの上面部２０に載置し、下枠本体６Ａの屋外側面を下枠受材６Ｂの起立縁２１の内面に当接させるとともに、下枠受材６Ｂの上部の係合縁１９と下枠本体６Ａの下部係合縁１６とを互いに係合させ、下枠本体６Ａの屈曲縁１８から下枠受材６Ｂの上面にビス止めすることによって一体的に結合されている。さらに、下枠受材６Ｂの下端は躯体構造材１０にビス止めされるように構成されている。
【００１９】
次に、上記金属製の金属枠ａの屋内側には合成樹脂製の樹脂枠ｂが結合されている。樹脂枠ｂは合成樹脂製枠材（樹脂上部枠３４ａと樹脂下枠３４ｂ）を三角形状に枠組みしたもので、嵌合とビス止めによって金属枠ａに結合している。そして、上記樹脂枠ｂは、障子２の閉鎖時には、障子２の上部框３と下框４の屋内側見付面を覆うように形成され、これによって断熱性を確保している。樹脂枠ｂの屋外側部分は金属で構成してもよい。
【００２０】
なお、上記樹脂上部枠３４ａには、障子２のガラス８に近接する位置まで突出する突出部３５（図３、図４）が一体に形成されている。また、図６に示されるように、この突出部３５は上部框３等に生じた結露を受けることが可能な位置まで延長され、その断面は樋形状に形成されて水受けを構成している。
【００２１】
窓枠１を組み立てるときは、まず、図７のように、上部枠５の両端面をそれぞれ斜めに等角に切断加工しておき、上部枠５の上端面同士を頂部で接合する。そして、外枠材７の両端面も上部枠５と同様、斜めに切断加工しておき、両外枠材７の上端面同士を頂部で互いに接合し、上部枠５にビス止め固定する。なお、上部枠５と外枠材７の各接合部はブラケット（図示せず）を介して一体的に結合する。次に、図８に示されるように、下枠本体６Ａの両端面を上部枠５の傾斜に沿う角度で斜めに加工しておき、上部枠５の下端の内面に接合し、上部枠５からビスを挿通して下枠本体６Ａのビスホールにビス止めすることにより固定する。さらに、図９のように、これらの部材の下部全長にわたって下枠受材６Ｂを配置する。そして、下枠本体６Ａと下枠受材６Ｂとをビス止め固定し、外枠材７の下端を下枠受材６Ｂの両端ブラケット２８にビス止め固定する。そして、図１０のように、下枠受材６Ｂの両端には小口蓋２９を取り付ける。これにより窓枠１の金属枠ａが組み立てられる。その後、樹脂枠ｂを組み付ければよい。
【００２２】
ところで、図１１のように、上記下枠本体６Ａの上面には排水孔３１ａ、３１ｂが開口形成されている。同様に、下枠受材６Ｂの上面にも複数の排水孔３２が形成されている。排水孔３１ａ、３１ｂ、３２は一個所に集中しないように分散配置するのがよいが、後述のように、閉鎖時に障子の縦桟が窓枠の内側に入り込むので、その位置も考慮して配置するのが好ましい。下枠受材６Ｂの屋外側の面にも、水切縁２５の上部に排水孔３３が開口形成され、排水弁が取り付けられている。これにより、下枠６には下枠本体６Ａの上面の排水孔３１ａ、３１ｂから下枠受材６Ｂの上部の排水孔３２を通って最後に下枠受材６Ｂの排水孔３３に至る排水経路が構成される。
【００２３】
次に、図５および図６に示されるように、障子２の上部框３と下框４の中間部には垂直に対向する1対の縦桟１７が橋渡し状に設けられている。縦桟１７はガラス８（単一のガラス板）よりも室内側に後退して配置されている。なお、縦桟１７は樹脂上部枠３４ａの突出部３５と干渉するので、突出部３５の干渉部は切欠きされ、この切欠き部３５ａ（図５参照）を縦桟１７が通るように構成されている。
【００２４】
これに対し、窓枠１の内側には、図４、図５および図１０に示されるように、上部枠５と下枠本体６Ａの中間部に垂直に対向する1対の補助縦枠３６が橋渡し状に設けられている。上記補助縦枠３６は金属本体３６ａと樹脂カバー３６ｂとから構成され、金属本体３６ａは窓枠１の上部枠５と下枠本体６Ａに適宜の取付金具（図示せず）を介してビス止め固定されている。なお、障子２の縦桟１７と窓枠１の補助縦枠３６とは互いに相対する位置に設けられ、障子２の閉鎖時には縦桟１７は補助縦枠３６の開口部から内側に納まるように構成されている。
【００２５】
上記補助縦枠３６と縦桟１７とはリンク機構３７を介して連結されている。リンク機構３７は図４および図５に示されるように、補助縦枠３６の内側に配置され、補助縦枠３６と縦桟１７の各中空部に連結されている。金属下枠本体６Ａと下框４もリンク機構３７を介して連結されている。リンク機構は障子を略水平方向に平行移動できる機構を有する公知のものを使用すればよい。
【００２６】
上記構成により、屋内側からリンク機構の作動装置のハンドルを操作してリンク機構３７を作動させることにより、障子２を図５のように屋外側に略水平方向に移動して開き又は閉じ作動させ、これによって窓枠全体を換気開口として利用することができ、内外の換気を効率よく行なうことができる。
【００２７】
また、降雨時などのように、窓枠の上部枠５同士の接合部、上部枠５と下枠本体６Ａとの接合部あるいは外枠材７の頂部における接合部に加工や取付けの誤差により隙間が生じていると、接合部から雨水が浸入する場合がある。図６のように、障子框３、４やガラス８の表面に結露が発生する場合もある。これらの場合において、雨水や結露の一部は上部枠５の表面に沿って流れ落ち、また他の一部は障子框やガラス面から窓枠１の樋状水受けである突出部３５に落ち、さらに突出部３５に沿って流れ落ちる。さらに他の一部は窓枠１の補助縦枠３６に沿って流れ落ちる。外枠材の頂部の接合部分から浸入し、その裏面に沿って流れ落ちることもある。障子の縦桟を伝って下枠６に流れてくることも考えられる。
【００２８】
ところで、窓枠１には下枠６が横通しに配設されているから、これらの雨水や結露は全て下枠６の上面に流れてくる。そして、下枠６には、図１１に示されるように、下枠本体６Ａの上面の排水孔３１ａから下枠本体６Ａの中空部２２を経て下枠受材６Ｂの上部の排水孔３２を通って最後に下枠受材６Ｂの排水孔３３までの排水経路を経て屋外に排水される。このように、窓枠１内に浸入した雨水等は全て下枠６で集中的に集水して屋外側に排水するので、雨水等が建物躯体の内側に浸入することを確実に防止することができる。確実な止水効果が得られるので、窓枠の上部枠５と下枠本体６Ａの端面の切断が通常程度の加工であっても十分な水密性能を確保することができる。そして、屋内側の見え掛かり部の汚れ、カビ等の発生が防止されて、サッシの内観の見栄えを長期間保持できる。
【００２９】
上記排水構造は、サッシが三角形だけでなく、正五角形、台形等の異形サッシにも適用でき、さらに垂直な縦枠を有するとともにこれらの縦枠の上方に切妻形の上部枠（これも下枠両端上方の上部枠）を有する変形五角形のサッシにも適用でき、同様の構成とすることによって十分な水密性能を確保することができる。
【００３０】
なお、外枠材７はなくても、あるいは上部枠５と一体に形成してもよい。
【００３１】
また、下枠６は、図１２のように、下枠本体６Ａに相当する部分３９と下枠受材６Ｂに相当する部分４０とを一体に形成した構成であってもよい。
【図面の簡単な説明】
【００３２】
【図１】切妻部にサッシを設けた住宅の斜視図である。
【図２】上記サッシの外観図である。
【図３】図２のＸ−Ｘ線上の断面図である。
【図４】図２のＹ−Ｙ線上の断面図である。
【図５】障子を開いた状態の斜視図である。（外観図）
【図６】樹脂上部枠の突出部を示す拡大断面図である。
【図７】上部枠と外枠材の取付態様説明図である。
【図８】下枠本体の取付態様説明図である。
【図９】下枠受材の取付態様説明図である。
【図１０】金属枠の完成図である。（外観図）
【図１１】下枠の拡大断面図である。
【図１２】下枠の他の例の正面図である。
【符号の説明】
【００３３】
１    窓枠
２    障子
６Ａ    下枠本体
６Ｂ    下枠受材
３１ａ、３１ｂ、３３    排水孔
【図１】
2006144286.tif 000003
【図２】
2006144286.tif 000004
【図３】
2006144286.tif 000005
【図４】
2006144286.tif 000006
【図５】
2006144286.tif 000007
【図６】
2006144286.tif 000008
【図７】
2006144286.tif 000009
【図８】
2006144286.tif 000010
【図９】
2006144286.tif 000011
【図１０】
2006144286.tif 000012
【図１１】
2006144286.tif 000013
【図１２】
2006144286.tif 000014